(57)【特許請求の範囲】
【請求項１】
ＩＭＳ網においてネットワークを構成するノードであって、
前記ＩＭＳ網内のノードにおいて運用再開が発生した場合、運用再開が発生したノードから前記ＩＭＳ網内の他の隣接ノードに対して、運用再開が発生したことを示す再開通知信号を、ＳＩＰ信号により通知し、
前記再開通知信号を受け取った前記隣接ノードが、
前記運用再開が発生したノードに応答信号を返送後、運用再開ノードのＩＰアドレスをキーとして、再開ノードに関連する呼が自ノード内に存在するかチェックし、関連呼の有無のチェック完了後、呼受付開始信号を運用再開ノードに返送し、関連する呼があった場合に、呼受付開始信号の送信後に、呼の初期設定を実施する
ことを特徴とするノード。
【請求項２】
前記再開通知信号は、前記ＳＩＰ信号のヘッダに、再開発生と、運用再開が発生したノードのＩＰアドレスを設定した信号であることを特徴とする請求項１に記載のノード。
【請求項３】
前記ＳＩＰ信号のヘッダのオプション項目であるLoadヘッダに、再開発生と、運用再開が発生したノードのＩＰアドレスを設定することを特徴とする請求項２に記載のノード。
【請求項４】
ＩＭＳ網においてネットワークを構成するノードの運用再開通知方法であって、
運用再開が発生した前記ノードから、前記ＩＭＳ網内の他の隣接ノードに対して、運用再開が発生したことを示す再開通知信号を、ＳＩＰ信号により通知し、
前記再開通知信号を受け取った前記隣接ノードが、
前記運用再開が発生したノードに応答信号を返送後、運用再開ノードのＩＰアドレスをキーとして、再開ノードに関連する呼が自ノード内に存在するかチェックし、関連呼の有無のチェック完了後、呼受付開始信号を運用再開ノードに返送し、関連する呼があった場合に、呼受付開始信号の送信後に、呼の初期設定を実施する
ことを特徴とするノードの運用再開通知方法。
【請求項５】
前記再開通知信号は、前記ＳＩＰ信号のヘッダに、再開発生と、運用再開が発生したノードのＩＰアドレスを設定した信号であることを特徴とする請求項４に記載のノードの運用再開通知方法。
【請求項６】
前記ＳＩＰ信号のヘッダのオプション項目であるLoadヘッダに、再開発生と、運用再開が発生したノードのＩＰアドレスを設定することを特徴とする請求項５に記載のノードの運用再開通知方法。
【発明の詳細な説明】
【技術分野】
【０００１】
本発明は、ＩＭＳ（IP Multimedia Subsystem）網においてネットワークを構成するノードに運用再開が発生した場合に他のノードへ運用再開通知を行う方法に関する。
【背景技術】
【０００２】
例えば、回線交換網においては、回線交換網内のノードにおいて運用再開が発生した場合、回線群のリセット手順によりノード間で初期設定を通知する手順が行われており、網として呼の初期設定を行っている。
【０００３】
ＩＭＳ網においても、ＩＭＳ網内のノードについて運用再開が発生した場合、回線交換網と同様に、隣接ノード内において呼解放、非課金制御といった関連呼の初期設定を行う必要があるが、ＩＭＳ網でやり取りされるＳＩＰ信号上にはノードの運用再開の通知に関する明確な定義がなされていないため、ノード間での再開発生の通知は行われていなかった。
【０００４】
関連技術として、特許文献１には、ＩＰネットワークのノードが通信を開始した場合に、ネットワーク上の他のノードに通信開始通知を送信する技術が開示されている。
【特許文献１】２００５−３２３３０９号公報
【発明の開示】
【発明が解決しようとする課題】
【０００５】
上述したように、ＩＭＳ網においては、ＩＭＳ網内のノードについて運用再開が発生した場合、ＩＭＳ網でやり取りされるＳＩＰ信号上に、ノードの運用再開の通知に関する明確な定義がなされていないため、運用再開が発生したノードからの運用再開の通知によって隣接ノードが呼解放、非課金制御等の関連呼の初期設定を行うことができないという問題があった。
【０００６】
また、特許文献１に記載される関連技術は、ＩＰネットワークのノードが通信を開始した場合に、ネットワーク上の他のノードに通信開始通知を行うものであるが、現実に使用しているメッセージ（信号）ではなく、通信開始通知として新たに定義したメッセージを用いる必要があることから、ノード間でその通信開始通知を送受信するための新たな手段と複雑な制御が必要となり、既存のシステムに簡単に実装することができないという問題があった。
【０００７】
（発明の目的）
本発明の目的は、ＩＭＳ網においてノードの運用再開が発生した際に、運用再開発生ノードから隣接ノードへ再開が発生したことを通知することで、隣接ノード内において呼解放、非課金制御等の関連呼の初期設定を可能とするＩＭＳ網におけるノード、運用再開通知方法及びそのプログラムを提案することにある。
【課題を解決するための手段】
【０００８】
本発明によるノードは、ＩＭＳ網内のノードにおいて運用再開が発生した場合、運用再開が発生したノードからＩＭＳ網内の他の隣接ノードに対して、運用再開が発生したことを示す再開通知信号を、ＳＩＰ信号により通知し、再開通知信号を受け取った隣接ノードが、運用再開が発生したノードに応答信号を返送後、運用再開ノードのＩＰアドレスをキーとして、再開ノードに関連する呼が自ノード内に存在するかチェックし、関連呼の有無のチェック完了後、呼受付開始信号を運用再開ノードに返送し、関連する呼があった場合に、呼受付開始信号の送信後に、呼の初期設定を実施する。
【０００９】
本発明による運用再開通知方法は、ＩＭＳ網においてネットワークを構成するノードの運用再開通知方法であって、運用再開が発生したノードから、ＩＭＳ網内の他の隣接ノードに対して、運用再開が発生したことを示す再開通知信号を、ＳＩＰ信号により通知し、再開通知信号を受け取った隣接ノードが、運用再開が発生したノードに応答信号を返送後、運用再開ノードのＩＰアドレスをキーとして、再開ノードに関連する呼が自ノード内に存在するかチェックし、関連呼の有無のチェック完了後、呼受付開始信号を運用再開ノードに返送し、関連する呼があった場合に、呼受付開始信号の送信後に、呼の初期設定を実施する。
【００１０】
本発明によるプログラムは、ＩＭＳ網においてネットワークを構成するノード上で動作し、ノードの運用再開通知を行うプログラムであって、ノードに、運用再開が発生した場合に、ＩＭＳ網内の他の隣接ノードに対して、運用再開が発生したことを示す再開通知信号を、ＳＩＰ信号により通知する処理と、再開通知信号を受け取った隣接ノードに、運用再開が発生したノードに応答信号を返送後、運用再開ノードのＩＰアドレスをキーとして、再開ノードに関連する呼が自ノード内に存在するかチェックし、関連呼の有無のチェック完了後、呼受付開始信号を運用再開ノードに返送し、関連する呼があった場合に、呼受付開始信号の送信後に、呼の初期設定を実施する処理とを実行させる。
【発明の効果】
【００１１】
ＩＭＳ網においてノードの運用再開が発生した際に、ＳＩＰ信号により隣接ノードへ運用再開を通知することで、隣接ノードにおいて関連呼の初期設定を実施することができるようになる。
【発明を実施するための最良の形態】
【００１２】
本発明を実施するための第１の実施の形態について、図面を参照して詳細に説明する。
【００１３】
図１に本発明の実施の形態によるＩＭＳ（IP Multimedia
Subsystem）網におけるネットワーク構成の概念図を示している。
【００１４】
図１において、Ｐ−ＣＳＣＦノード２０は、Ｐ−ＣＳＣＦ機能（Proxy Call Session Control Function）を有するノードであり、携帯端末とＳ−ＣＳＣＦ／Ｉ−ＣＳＣＦとのＳＩＰ信号を中継する機能を提供する。
【００１５】
Ｓ−ＣＳＣＦノード１０は、Ｓ−ＣＳＣＦ機能（Serving
Call Session Control Function）を有するノードであり、通信を実現するための呼制御機能を提供する。
【００１６】
Ｉ−ＣＳＣＦノード５０は、Ｉ−ＣＳＣＦ機能（Interrogating
Call Session Control Function）を有するノードバであり、他網に対して自網のネットワーク構成を隠蔽する機能などを提供する。
【００１７】
ＳＩＰ−ＡＳ（SIP Application
Server）ノード３０は、ＩＭＳ網において各種サービスを実現するための呼制御機能を提供する。
【００１８】
ＢＧＣＦノード６０は、ＢＧＣＦ機能（Breakout
Gateway Control Function）を有する装置であり、Ｓ−ＣＳＣＦとＭＧＣＦ間のインタワークを受け持つ。
【００１９】
ＭＧＣＦノード７０は、ＭＧＣＦ機能（Media
Gateway Control Function）を有する装置であり、メディアゲートウェイ制御を実施する。
【００２０】
ＭＲＦＣノード４０は、ＭＲＦ  Ｃｏｎｔｒｏｌｌｅｒ（ＭＲＦ制御部）であり、ＭＲＦ制御を実施する。
【００２１】
他のノードである、ＨＳＳ（ホーム加入者サーバ）ノード、ＳＬＦ（Subscriber Locator Function）ノード、ＭＲＦＰ（Media Resource Function
Processor）ノード、ＳＧＷ（シグナリング・ゲートウェイ：Signaling Gateway）、ＭＧＷ（Media Gateways）等に関しては、この技術分野において一般に知られており、また本発明とは直接関係しないので、その詳細な構成は省略する。
【００２２】
本実施の形態においては、ＩＭＳ（IP Multimedia Subsystem）網において、障害等により運用を停止していたノード１００が運用を再開した場合に、図２のように、運用再開が発生した再開ノード１００から再開ノードに隣接する隣接ノード２００に対して運用再開が発生したこと示す再開通知信号を、ＳＩＰ（Session
Initiation Protocol）信号によって通知する。
【００２３】
これにより、再開ノード１００から再開通知信号を受信した隣接ノード２００は、再開通知信号に基づいて呼解放、非課金制御といった呼に関する初期設定を実行することが可能となる。
【００２４】
ここで、Ｓ−ＣＳＣＦノード１０を含む各ノードのハードウェア構成について、図７を参照して説明する。
【００２５】
図７を参照すると、Ｓ−ＣＳＣＦノード１０を含む各ノードは、一般的なコンピュータ装置と同様のハードウェア構成によって実現することができ、ＣＰＵ（Ｃｅｎｔｒａｌ  Ｐｒｏｃｅｓｓｉｎｇ  Ｕｎｉｔ）４０１、ＲＡＭ（Ｒａｎｄｏｍ  Ａｃｃｅｓｓ  Ｍｅｍｏｒｙ）等のメインメモリであり、データの作業領域やデータの一時退避領域に用いられる主記憶部４０２、ネットワークを介して他のノードとデータの送受信を行う通信部４０３、外部装置と接続してデータの送受信を行う入出力インタフェース部４０４、入出力インタフェース部４０４を介して接続されるＲＯＭ（Ｒｅａｄ  Ｏｎｌｙ  Ｍｅｍｏｒｙ）、磁気ディスク、半導体メモリ等の不揮発性メモリから構成されるハードディスク装置である補助記憶部４０５、上記各構成要素を相互に接続するシステムバス４０６、を備えている。
【００２６】
本実施の形態によるＳ−ＣＳＣＦノード１０を含む各ノードは、その動作を制御するためのプログラムを組み込んだ、ＬＳＩ（Ｌａｒｇｅ  Ｓｃａｌｅ  Ｉｎｔｅｇｒａｔｉｏｎ）等のハードウェア部品である回路部品を実装することにより、その動作をハードウェア的に実現することは勿論として、運用再開の発生時に再開開始信号を送信する機能、再開開始信号を受信した際に呼受付開始信号を返信する機能を含む各種の機能を提供するプログラムを、補助記憶部４０５に格納し、そのプログラムを主記憶部４０２にロードしてＣＰＵ４０１で実行することにより、ソフトウェア的に実現することも可能である。
【００２７】
（本実施の形態による動作の説明）
具体例として、Ｓ−ＣＳＣＦノード１０に運用再開が発生した場合の処理イメージを図３に、Ｓ−ＣＳＣＦノード１０に運用再開が発生した場合の処理シーケンスを図４に示す。なお、本発明とは直接関係しない他のノード、信号については一部省略している。
【００２８】
Ｓ−ＣＳＣＦノード１０に運用再開が発生した場合の処理イメージを図３に示す。
【００２９】
Ｓ−ＣＳＣＦノード（１）１０に再開が発生した場合、Ｓ−ＣＳＣＦノード（１）１０は、自ノードにて運用再開が発生したことを示すＳＩＰ再開通知信号、を隣接するノードであるＰ−ＣＳＣＦノード（１）２０、ＳＩＰ−ＡＳノード（１）３０、ＭＲＦＣノード４０、Ｉ−ＣＳＣＦノード５０、ＢＧＣＦノード６０に送信する。
【００３０】
ＳＩＰ再開通知信号を受信したＩ−ＣＳＣＦノード５０は、適切なＳ−ＣＳＣＦノード（２）１０を選択してＳＩＰ再開通知信号を転送し、ＢＧＣＦノード６０は、適切なＭＧＣＦノード７０を選択してＳＩＰ再開通知信号を転送する。
【００３１】
ＳＩＰ再開通知信号を受信したＰ−ＣＳＣＦノード（１）２０、ＳＩＰ−ＡＳノード（１）３０、ＭＲＦＣノード４０、Ｓ−ＣＳＣＦノード（２）１０、ＭＧＣＦノード７０は、再開ノードに応答信号を返送後、再開ノードのＩＰアドレス等をキーとして、再開ノードであるＳ−ＣＳＣＦノード（１）１０に関連する呼が自ノード内に存在するかチェックする。
【００３２】
関連呼の有無のチェック完了後は、上記各ノードは、呼受付開始信号を再開ノードに返送し、関連する呼が存在する場合は、呼受付開始信号送信後に、呼解放や非課金明細の作成等を含む呼の初期設定を実施する。
【００３３】
上記のようにして、本実施の形態では、ノードの運用再開が発生した際に、ＳＩＰ信号により隣接ノードへ再開を通知することで、隣接ノードにおいて呼の初期設定が実施できるようになる。
【００３４】
図３の示すネットワーク構成において、Ｓ−ＣＳＣＦノード（１）１０に運用再開が発生した場合の処理シーケンスを図４に示す。
【００３５】
なお、Ｐ−ＣＳＣＦノード（１）２０、ＳＩＰ−ＡＳ１ノード３０、ＭＲＦＣノード４０は実際には別ノードであり、信号の送受信もＳ−ＣＳＣＦノード（１）１０〜Ｐ−ＣＳＣＦノード（１）２０、Ｓ−ＣＳＣＦノード（１）１０〜ＳＩＰ−ＡＳノード（１）３０、Ｓ−ＣＳＣＦノード（１）１０〜ＭＲＦＣノード４０間の各々で行われるが、ノード内での処理が同じであるためまとめて表記している。
【００３６】
Ｓ−ＣＳＣＦノード（１）１０に運用再開が発生した場合、Ｓ−ＣＳＣＦノード（１）１０は、再開完了後に再開通知信号（OPTIONS）４０１をＰ−ＣＳＣＦノード（１）２０、ＳＩＰ−ＡＳノード（１）３０、ＭＲＦＣノード４０へ、再開通知信号（OPTIONS）４０４をＩ−ＣＳＣＦノード５０へ、ＳＩＰ再開通知信号（OPTIONS）４１０をＢＧＣＦノード６０へそれぞれ送信する。
【００３７】
再開通知信号（OPTIONS）４０１を受信したＰ−ＣＳＣＦノード（１）２０、ＳＩＰ−ＡＳノード（１）３０、ＭＲＦＣノード４０は、応答信号（200
OK）４０２をＳ−ＣＳＣＦノード（１）１０へ送信した後に、Ｓ−ＣＳＣＦノード（１）１０と関連する呼が自ノード内に存在するかをチェックし、チェック完了後にＳ−ＣＳＣＦノード（１）１０へ呼受付開始信号（OPTIONS）４０３を送信する。
【００３８】
また、Ｐ−ＣＳＣＦノード（１）２０、ＳＩＰ−ＡＳノード（１）３０、ＭＲＦＣノード４０は、Ｓ−ＣＳＣＦノード（１）１０と関連する呼が自ノード内に存在する場合、呼受付開始信号（OPTIONS）４０３送信後に、呼解放や非課金明細の作成等を含む呼の初期設定を実施する。
【００３９】
また、再開通知信号（OPTIONS）４０４を受信したＩ−ＣＳＣＦノード５０は、適切なＳ−ＣＳＣＦノード（２）１０へ再開通知信号（OPTIONＳ）４０５として転送する。以降のＳ−ＣＳＣＦノード（２）１０の動作については、Ｐ−ＣＳＣＦノード（１）２０等と同様のため、説明を省略する。
【００４０】
また、再開通知信号（OPTIONS）４１０を受信したＢＧＣＦノード６０は、適切なＭＧＣＦノード７０へ再開通知信号（OPTIONS）４１１として転送する。以降のＭＧＣＦ１００の動作については、Ｐ−ＣＳＣＦノード（１）２０等と同様のため、説明を省略する。
【００４１】
ここで、図５を参照して、Ｓ−ＣＳＣＦノード１０に運用再開が発生した場合に隣接するノードに送信する再開通知信号（OPTIONS）の信号設定例について説明する。
【００４２】
図５は、ＳＩＰ信号のヘッダのオプション（OPTIONS）項目のフォーマットを示している。
【００４３】
運用再開が発生したノードは、ＳＩＰ信号のヘッダのオプション項目であるLoadヘッダに、再開発生と、再開発生ノードのＩＰアドレスを設定することにより、再開通知信号（OPTIONS）として隣接ノードに送信する。
【００４４】
すなわち、再開通知信号（OPTIONS）として、図５に示すように、ＳＩＰ信号のLoadヘッダに「target=sip:10.4.88.243;text=node
reset」を付与して隣接ノードに送信する。
【００４５】
再開通知信号（OPTIONS）を受信したノードは、隣接するノードにおいて運用再開が発生したことと、再開発生ノードのＩＰアドレスを認識することが可能となる。この例の場合、再開発生ノードのＩＰアドレスは「１０．４．８８．２４３」である。
【００４６】
次に、再開通知信号（OPTIONS）を受信した隣接ノードから運用再開が発生したＳ−ＣＳＣＦノード１０に対して送信される呼受付開始信号（OPTIONS）の信号設定例を図６に示す。
【００４７】
隣接ノードは、呼受付開始信号（OPTIONS）として、図６に示すように、ＳＩＰ信号のLoadヘッダに「target=sip:10.4.88.243;text=call
accept」を付与して運用再開が発生したＳ−ＣＳＣＦノード１０に送信する。
【００４８】
運用再開が発生したノードは、この呼受付開始信号（OPTIONS）を受信することにより、隣接ノードが呼受付状態となったことを認識することが可能となる。
【００４９】
（実施の形態による効果）
以上説明したように、本実施の形態においては、以下のような効果が得られる。
ＩＭＳ網においてノード再開が発生した際に、再開発生ノードから隣接ノードへ、再開が発生したことをＳＩＰ信号により通知する事で、隣接ノード内において呼解放、非課金制御等を含む呼の初期設定が可能となる。
【００５０】
以上好ましい実施の形態と実施例をあげて本発明を説明したが、本発明は必ずしも、上記実施の形態及び実施例に限定されるものでなく、その技術的思想の範囲内において様々に変形して実施することができる。
【図面の簡単な説明】
【００５１】
【図１】本発明の実施の形態によるＩＭＳ（IP MultimediaSubsystem）網におけるネットワーク構成の概念図である。
【図２】本実施の形態において、運用再開が発生した再開ノードから隣接する隣接ノードに対して運用再開再開通知信号を送信する様子を説明する図である。
【図３】本実施の形態において、ＩＭＳ（IP MultimediaSubsystem）網におけるネットワークを構成するＳ−ＣＳＣＦノードに運用再開が発生した場合の処理イメージを示す図である。
【図４】図３におけるＳ−ＣＳＣＦノードに運用再開が発生した場合の処理シーケンスを示す図である。
【図５】隣接するノードに送信する再開通知信号（OPTIONS）の信号設定例を示す図である。
【図６】隣接ノードから運用再開が発生したノードに対して送信される呼受付開始信号（OPTIONS）の信号設定例を示す図である。
【図７】Ｓ−ＣＳＣＦノードを含む各ノードのハードウェア構成例を示す図である。
【符号の説明】
【００５２】
１０：Ｓ−ＣＳＣＦノード
２０：Ｐ−ＣＳＣＦノード
３０：ＳＩＰ−ＡＳ（SIP
Application Server）ノード
４０：ＭＲＦＣノード
５０：Ｉ−ＣＳＣＦノード
６０：ＢＧＣＦノード
７０：ＭＧＣＦノード
４０１、４０４、４０５、４１０、４１１：ＳＩＰ再開通知信号
４０３、４０８、４０９、４１４、４１５：ＳＩＰ呼受付開始信号
【図１】
0005207207.tif 000002
【図２】
0005207207.tif 000003
【図３】
0005207207.tif 000004
【図４】
0005207207.tif 000005
【図５】
0005207207.tif 000006
【図６】
0005207207.tif 000007
【図７】
0005207207.tif 000008